(57)【要約】【課題】永久磁石量を肥大化させずに高トルクを実現でき低コストとすることができるとともに、磁性体を磁石へ押し付ける等の手段を用いずに磁石磁束を弱めることのできる可変エアーギャップ式永久磁石モータを提供する。【解決手段】永久磁石２を備える円盤型のロータ１と、このロータ１に対向して配置された、コアにコイルを巻回した電機子コイル１３から構成されたステータ３と、からなる永久磁石モータにおいて、ステータ３とロータ１との間のエアーギャップ長を可変にできる機構を備える。【選択図】図１
2005168190.tif 000002
【特許請求の範囲】
【請求項１】
永久磁石を備える円盤型のロータと、このロータに対向して配置された、コアにコイルを巻回した電機子コイルから構成されたステータと、からなる永久磁石モータにおいて、ステータとロータとの間のエアーギャップ長を可変にできる機構を備えることを特徴とする可変エアーギャップ式永久磁石モータ。
【請求項２】
エアーギャップ長を可変にできる機構を、ステータの位置をロータに対して可変にすることで構成することを特徴とする請求項１記載の可変エアーギャップ式永久磁石モータ。
【請求項３】
ロータ回転数に応じてエアーギャップ長を設定し、ステータとロータとの間のエアーギャップ長が設定したエアーギャップ長になるように、ステータに設けた油圧ピストンに油圧源から油を供給／吸引することで、ステータの位置をロータに対して制御することを特徴とする請求項２記載の可変エアーギャップ式永久磁石モータ。
【請求項４】
モータフェール時に、エアーギャップが最も大きくなるよう制御することを特徴とする請求項１〜３のいずれか１項に記載の可変エアーギャップ式永久磁石モータ。
【請求項５】
ステータが、電機子コイルと外部機器との接続に使用する給電端子を備えていることを特徴とする請求項１〜４のいずれか１項に記載の可変エアーギャップ式永久磁石モータ。
【請求項６】
ロータ回転数がＮ（ｒｐｍ）の時の無負荷誘起電圧が電源側素子耐圧を超える場合、無負荷誘起電圧が素子耐圧以下になるように、エアーギャップ長を大きくするよう制御することを特徴とする請求項１〜５のいずれか１項に記載の可変エアーギャップ式永久磁石モータ。
【請求項７】
素子耐圧に基づくエアーギャップ長の制御に加えて、モータ効率が最も高くなるエアーギャップ長を演算またはルックアップテーブルにより検索し制御することを特徴とする請求項６記載の可変エアーギャップ式永久磁石モータ。
【発明の詳細な説明】
【技術分野】
【０００１】
本発明は、永久磁石を備える円盤型のロータと、このロータに対向して配置された、コアにコイルを巻回した電機子コイルから構成されたステータと、からなる永久磁石モータに関するものである。
【背景技術】
【０００２】
従来、永久磁石を備える円盤型のロータと、このロータに対向して配置された、コアにコイルを巻回した電機子コイルからなるステータと、からなる永久磁石式同期モータは種々の構成のものが知られている。このような永久磁石式同期モータにおいて、高トルクを実現しようとした場合、大きな磁束が必要であり、この時高回転域で電圧が肥大化してしまい高回転を実現できないという問題があった。
【０００３】
このような問題を解決するために、永久磁石の磁束を磁性体で短絡する永久磁石式モータが知られている（例えば、特許文献１）。このモータでは、円盤型の永久磁石埋込式ロータとコアにコイルを巻回した電機子コイルからなるステータとを有しており、ロータ側に埋め込まれた永久磁石のＮ極、Ｓ極間に可動できる磁性体を有している。磁石磁束を弱めるときは、磁性体を磁石へ押し付け漏れ磁束を増加させ、電機子コイルへ鎖交する磁束を低減させるものである。
【特許文献１】特開平９−３０８２００号公報
【発明の開示】
【発明が解決しようとする課題】
【０００４】
しかしながら、上述した従来のモータでは、ロータ側に可動部を設けてあるので、一般にロータのバランシングがとりにくくなる問題があった。また、電機子コイルによる磁束が短絡磁性体を通過してしまい、渦電流損失が大きくなる問題もあった。加えて、磁石磁束を短絡させた場合、無負荷磁束の歪率が悪化し、見掛けの磁束は大きく低下してしまう問題もあった。
【０００５】
本発明の目的は上述した問題点を解消して、永久磁石量を肥大化させずに高トルクを実現でき低コストとすることができるとともに、磁性体を磁石へ押し付ける等の手段を用いずに磁石磁束を弱めることのできる可変エアーギャップ式永久磁石モータを提供しようとするものである。
【課題を解決するための手段】
【０００６】
本発明の可変エアーギャップ式永久磁石モータは、永久磁石を備える円盤型のロータと、このロータに対向して配置された、コアにコイルを巻回した電機子コイルから構成されたステータと、からなる永久磁石モータにおいて、ステータとロータとの間のエアーギャップ長を可変にできる機構を備えることを特徴とするものである。
【発明の効果】
【０００７】
本発明の可変エアーギャップ式永久磁石モータにあっては、ステータとロータとの間のエアーギャップ長を可変にできる機構を備えることで、エアーギャップ長を回転中のある時点で必要な最短の長さに常に保つことができ、永久磁石量を肥大化させず高トルクを実現することができ、その結果低コスト化を達成できる。また、効率よく弱め界磁を実現することができる。
【０００８】
また、本発明の可変エアーギャップ式永久磁石モータの好適例では、エアーギャップ長を可変にできる機構を、ステータの位置をロータに対して可変にすることで構成することができる。このように構成することで、ステータ側を可動にするために、機械的な強度（回転強度）に関係なく本発明の可変エアーギャップ式永久磁石モータを実現することができる。
【０００９】
さらに、本発明の可変エアーギャップ式永久磁石モータの好適例では、ロータ回転数に応じてエアーギャップ長を設定し、ステータとロータとの間のエアーギャップ長が設定したエアーギャップ長になるように、ステータに設けた油圧ピストンに油圧源から油を供給／吸引することで、ステータの位置をロータに対して制御することができる。このように構成することで、ステータとロータとの間のエアーギャップ長をより好適に可変にすることが可能となる。
【００１０】
さらにまた、本発明の可変エアーギャップ式永久磁石モータの好適例では、モータフェール時に、エアーギャップが最も大きくなるよう制御することができる。このように構成することで、ロータ過回転などの状況が発生しても、エアーギャップ長を最長にすることで、種々の耐電圧を超過することなく、誘起電圧によるパワーデバイス等の機器の破損や致命的な故障の発生を防止することができる。
【００１１】
また、本発明の可変エアーギャップ式永久磁石モータの好適例では、ステータが、電機子コイルと外部機器との接続に使用する給電端子を備えているよう構成することができる。このように構成することで、ステータを可動にする場合、従来のまま電機子コイルからの配線を直接外へ取り出すとギャップストロークに応じて電機子コイルまたはコイル固定部が繰り返し変位をするため、機械的な寿命に悪影響を与える問題を、電機子コイルからの配線を外部へ取り出すための給電端子を設け、これへ変形吸収性を持たすことで解決することができる。
【００１２】
さらに、本発明の可変エアーギャップ式永久磁石モータの好適例では、ロータ回転数がＮ（ｒｐｍ）の時の無負荷誘起電圧が電源側素子耐圧を超える場合、無負荷誘起電圧が素子耐圧以下になるように、エアーギャップ長を大きくするよう制御することができる。このように構成することで、モータ各運転点で、無負荷電圧を素子耐圧以下とすることが可能になり、モータの信頼性が向上する。
【００１３】
さらにまた、本発明の可変エアーギャップ式永久磁石モータの好適例では、素子耐圧に基づくエアーギャップ長の制御に加えて、モータ効率が最も高くなるエアーギャップ長を演算またはルックアップテーブルにより検索し制御することができる。このように構成することで、特に高回転域の鉄損を抑えるために、エアーギャップ長を広げて磁束を下げることで効率を向上することができる。これにより冷却に関わるコストを低減できる。
【発明を実施するための最良の形態】
【００１４】
以下に、この発明の実施の形態を、図面に基づき詳細に説明する。
図１は本発明の可変エアーギャップ式永久磁石モータの一例の構成を示す図である。図１に示す例において、本発明の可変エアーギャップ式永久磁石モータは、円盤型のロータ１と、円盤型ロータ１に埋め込まれた永久磁石２と、円盤型ロータ１に対向して配置された円盤型ステータ３と、円盤型ステータ３においてコアにコイルを巻回して設けられた電機子コイル１３と、モータを被うケース４と、ステータ３の前後ストローク時の反力を発生させる皿バネ５と、ステータ３に設けた電機子コイル１３の配線を外部へ取り出すための給電端子６と、ストロークを制御する油圧ピストン７と、エアーギャップ長検出手段の位置センサー８と、ロータ位置検出手段のセンサー９と、モータコントローラ１０と、油圧源１１と、インバータ１２とから構成されている。そして、ロータ１の表面とステータ３の表面との間隔がエアーギャップｇとなる。
【００１５】
上述した構成の本発明の可変エアーギャップ式永久磁石モータでは、円盤型ロータ１の中心軸１４をベアリング１５−１、１５−２を介してケース４に固定して設けることで、円盤型ロータ１はケース４内で回転可能に構成されている。また、円盤型ステータ３をケース４とケース４に設けたガイド１６との間に設けるとともに、円盤型ステータ３の軸方向の両端を皿バネ５と油圧ピストン７で固定して設けることで、円盤型ステータ３はケース４内で軸方向に移動可能に構成されている。さらに、ステータ３に設けた電機子コイル１３の給電端子１７とケース４に設けた給電端子６との間を、変形吸収性を有する可とう性部材１８で電気的に接続することで、ステータ３が軸方向に移動してもストロークに応じて可とう性部材１８が変位でき、機械的な寿命に悪影響を与えることはないよう構成されている。
【００１６】
上述した構成の本発明の可変エアーギャップ式永久磁石モータでは、モータの任意の回転数及びトルクを実現するために、モータコントローラ１０でエアーギャップ長を制御する信号を油圧源１１へ送り、送られた信号に応じて油圧源１１から油圧ピストン７に油を供給／吸引することで、皿バネ５の反力と相まって、ステータ３がロータ１に対してストロークする。同時に、現時点のエアーギャップ長を位置センサー８で検出し、現エアーギャップに適した電流目標値を演算し、演算結果に基づきインバータ１２を制御し、ステータ３の電機子コイル１３に所定の電流を通電する。以上の動作を一定の時間間隔で繰り返し実行することで、本発明の可変エアーギャップ式永久磁石モータの回転を制御している。
【００１７】
次に、本発明の可変エアーギャップ式永久磁石モータにおけるエアーギャップ長の制御の方法について説明する。
【００１８】
図２は本発明の可変エアーギャップ式永久磁石モータにおける回転数と無負荷誘起電圧との関係を示すグラフである。図２に示すように、ロータ回転数が高回転になるほど誘起電圧は高くなり、例えば、高回転状態で電流制御が不能になったとき、または、フェールが発生したときを考慮して、パワーデバイス等の素子耐圧以下で駆動する必要がある。このために、図２に示した回転数と無負荷誘起電圧との関係から、素子耐圧以下で駆動するために必要なロータ回転数とエアーギャップ長との関係を求め、求めたロータ回転数とエアーギャップ長との関係をモータコントローラ１０に記憶し、実際の回転数からその時点で最適なエアーギャップ長を決める。これにより全ての状態で、パワーデバイスやコンデンサ等の素子の耐圧を超えることなく駆動することが可能となる。
【００１９】
図３は図２に示す回転数と無負荷誘起電圧との関係を考慮したエアーギャップ長の制御の一例を説明するための図である。図３に示す例において、モータコントローラ１０でフェールを検出しないフェール信号０の場合は、実際のロータ回転数を測定し、測定したロータ回転数に基づき記憶してあるルックアップテーブルから、ここでは、ロータ回転数とエアーギャップ長との関係を示すグラフから、目標エアーギャップ長となるよう、油圧源１１及びインバータ１２を制御する。一方、モータコントローラ１０でフェールを検出したフェール１の場合は、エアーギャップ長が最大となるよう、油圧源１１を制御する。こにより、フェール時にも、電子機器を破損することが無くなる。
【００２０】
また、エアーギャップ長を大きくしていくと、ステータ３に鎖交する磁束が減少し鉄損を小さくできるというメリットがある。この事実から、エアーギャップ長を大きくして磁束を減少させ鉄損を小さくすることで、効率を向上させることができる。実際には、軸トルク推定値に応じてロータ回転数とエアーギャップ長との関係を予め求め、軸トルク推定値とロータ回転数とから最適エアーギャップ長を求め、求めた最適エアーギャップ長となるよう、油圧源１１及びインバータ１２を制御する。
【００２１】
図４は、図３に示す無負荷誘起電圧に基づくエアーギャップ長の制御に加えて、上述した最適エアーギャップ長の制御を行う場合の一例を説明するための図である。図４に示す例において、無負荷誘起電圧に基づき演算して求めた図３に示すエアーギャップ長と、モータ効率を最大に保つために求めた上述した最適エアーギャップ長とを比較し、どちらか大きい方を最終の目標エアーギャップ長として、油圧源１１及びインバータ１２を制御する。
【産業上の利用可能性】
【００２２】
本発明の可変エアーギャップ式永久磁石モータは、永久磁石を備える円盤型のロータと、このロータに対向して配置された、コアにコイルを巻回した電機子コイルから構成されたステータと、からなる永久磁石モータにおいて、永久磁石を肥大化させず高トルクを実現でき、また、効率よく弱め界磁を実現する用途に好適に使用することができる。
【図面の簡単な説明】
【００２３】
【図１】本発明の可変エアーギャップ式永久磁石モータの一例の構成を示す図である。
【図２】本発明の可変エアーギャップ式永久磁石モータにおける回転数と無負荷誘起電圧との関係を示すグラフである。
【図３】図２に示す回転数と無負荷誘起電圧との関係を考慮したエアーギャップ長の制御の一例を説明するための図である。
【図４】図３に示す無負荷誘起電圧に基づくエアーギャップ長の制御に加えて、上述した最適エアーギャップ長の制御を行う場合の一例を説明するための図である。
【符号の説明】
【００２４】
１  ロータ
２  永久磁石
３  ステータ
４  ケース
５  皿バネ
６、１７  給電端子
７  油圧ピストン
８  位置センサー
９  センサー
１０  モータコントローラ
１１  油圧源
１２  インバータ
１３  電機子コイル
１４  中心軸
１５−１、１５−１  ベアリング
１６  ガイド
１８  可とう性部材
【図１】
2005168190.tif 000003
【図２】
2005168190.tif 000004
【図３】
2005168190.tif 000005
【図４】
2005168190.tif 000006